【事件の表示】
　特願２０１６−５１９６５３「向上したエネルギー密度を有するエネルギー貯蔵装置」拒絶査定不服審判事件〔平成２６年１２月１８日国際公開、ＷＯ２０１４／２０１２７９、平成２８年　７月１４日国内公表、特表２０１６−５２１０１７〕について、次のとおり審決する。
【結　論】
　本件審判の請求は、成り立たない。
【理　由】
第１　手続の経緯
　本願は、平成２６年６月１２日（優先権主張　２０１３年６月１４日、米国）を国際出願日とする特許出願であって、その後の手続の概要は、以下のとおりである。
　平成３０年２月２６日付け　　：拒絶理由通知書
　平成３０年６月１４日　　　　：意見書、手続補正書の提出
　平成３０年１１月２７日付け　：拒絶査定
　平成３１年３月２７日　　　　：審判請求書の提出
第２　本願発明
　本願の請求項１ないし３０に係る発明は、平成３０年６月１４日に提出された手続補正書によって補正された特許請求の範囲の請求項１ないし３０に記載された事項により特定されるものであり、そのうち請求項１に係る発明（以下「本願発明」という。）は、以下のとおりのものである。
「　　【請求項１】
　最終的な製品のエネルギー貯蔵装置であって、
　容器と、
　第１電極と、
　第２電極と、
　上記第１電極と上記第２電極との間のセパレータとを備え、
　上記第１電極、上記第２電極、および上記セパレータは、上記容器内にあり、
　上記容器内にある電解質をさらに備え、
　上記電解質は、電解質の飽和量とその１０４％との間の総質量を有し、
　上記電解質の飽和量は、上記セパレータ、上記第１電極、および上記第２電極の接触可能なスペースを飽和させるために必要とされる上記容器における電解質の最小量であることを特徴とするエネルギー貯蔵装置。」
第３　原査定の拒絶の理由
　原査定の拒絶理由のうちの理由２は、この出願の請求項１ないし５、７、９ないし１３、１５ないし１９、２１ないし２２、２５ないし２６、２８ないし２９に係る発明は、本願の優先権主張の日前に日本国内又は外国において頒布された又は電気通信回線を通じて公衆に利用可能となった以下の引用文献１に記載された発明であるから、特許法第２９条第１項第３号に該当し、特許を受けることができない、というものである。
引用文献１：特開２００７−１１６１０２号公報
第４　引用文献１の記載事項
　引用文献１には、「電気二重層キャパシタ」に関して、図面とともに、次の記載がある（下線は当審で付与した。）。
１　「【００１５】
　これらを踏まえて、正負の分極性電極とセパレータとの空隙容積、およびイオン量比Ｑe／Ｑtの調整についてさらに説明する。
　
正の分極性電極の空隙容積をＶ+、負の分極性電極の空隙容積をＶ-、セパレータの空隙容積をＶsとすると、これら３つの空隙容積の和が、後述の分極性電極とセパレータとの空隙容積に含浸された電解液容積Ｖpになる（式（ＩＩ））
　Ｖp＝Ｖ+＋Ｖ-＋Ｖs　・・・（ＩＩ）
　ここで、キャパシタの定格静電容量を一定にし、使用するセパレータを同一として、電極構造体の積層数を増加させた場合を考えると、Ｖ+およびＶ-に変化は無いが、Ｖsは積層数に伴って増加するため、結果的にＶpは増加する。」
２　「【００２８】
　
なお、本発明の電気二重層キャパシタは、空隙容積に含浸する有機系電解液中のイオン量Ｑeの保持と、電解液ドライアップの防止との目的から、分極性電極とセパレータとの空隙容積に含浸する有機系電解液の容積Ｖp以上の電解液を保持することが好ましい。この好ましい電解液量（容積）は、分極性電極とセパレータとの空隙容積に含浸する電解液の容積Ｖpと、全電解液の容積Ｖaとの比（Ｖa／Ｖp）によって具体的に定義することができるが、本発明では、Ｖa／Ｖpが１．０〜１．２を満たすことが好ましく、１．０１〜１．１を満たすことがより好ましい。１．０よりも少ないと、電解液のドライアップが発生する可能性があり、１．２よりも大きいと、充放電効率の低下、電解液漏れ等の問題が発生する可能性がある。
３　「【００３７】
［電気二重層キャパシタ］
　本発明の電気二重層キャパシタの構造および形態は、一対の集電体、正負の各分極性電極、これら電極間に介在するセパレータ、並びに少なくとも正負各分極性電極およびセパレータに含浸する有機系電解液を備えて構成されるものであれば、特に限定されるものではなく、図１に示されるようないわゆる積層型のキャパシタや、コイン型のキャパシタなど、公知の種々の構造を採用できる。
　本発明の電気二重層キャパシタの実施の一形態を、図１，２を参照しつつ説明すると、
電気二重層キャパシタ１は、外装容器１０と、この外装容器１０内に収納された電極群１１と、少なくともこの電極群１１に含浸する有機系電解液（図示省略）とを備えて構成されている
　なお、有機系電解液は少なくとも電極群に含浸していればよく、例えば、
有機系電解液が、電極群がこれに浸る程度に外装容器内に満たされていてもよい
【００３８】
　
電極群１１は、図２に示されるように、正の分極性電極構造体１１Ａおよび負の分極性電極構造体１１Ｂが、セパレータ１１Ｃを介して複数枚積層されたものである
正の分極性電極構造体１１Ａは、正の集電体１１１の両面に正の分極性電極１１２が積層されて構成され、負の分極性電極構造体１１Ｂは、負の集電体１１３の両面に負の分極性電極１１４が積層されて構成されている
  この場合、電極構造体の積層枚数は、多ければ多いほど内部抵抗が低減できて有利であると同時に、キャパシタ全体の空隙容積に占めるセパレータの空隙容積の比率が大きくなるため、理論イオン量Ｑtと、正負の分極性電極とセパレータとの空隙容積に含浸された電解液中のイオン量Ｑeとの比Ｑe／Ｑtを調整する上で好適である。一方、積層枚数が多くなりすぎると、電極群体積に占める集電体とセパレータの体積割合が増加し、体積出力密度が減少するので、所望の内部抵抗に合わせて積層数の上限を決定すればよい。」
４　「【００４３】
　以下、実施例および比較例を挙げて、本発明をより具体的に説明するが、本発明は、下記の実施例に限定されるものではない。
【００４４】
［実施例１］
（１）正の電極構造体の作製
　活性炭マックスソーブＭＳＰ２０（関西熱化学（株）製、ＢＥＴ比表面積：２３００ｍ2／ｇ、細孔容積：１．０７ｍｌ／ｇ、５０％粒径：９．５μｍ）と、導電剤（ＨＳ−１００、電気化学工業（株）製）と、バインダであるＰＶＤＦ（アルドリッチ社製、重量平均分子量：５３４，０００）とを８５：８：７の質量組成になるように、塗工溶媒であるＮ−メチルピロリドン（以下ＮＭＰ）中で混合し、正の分極性電極用塗工液を調製した。
　得られた塗工液を、正の集電体１１１であるエッチドアルミ箔（３０ＣＢ、日本蓄電器工業（株）製）の両面に塗工した後、ロールプレスで圧延し、さらにＮＭＰを乾燥除去して正の分極性電極１１２を形成し、正の分極性電極構造体１１Ａを得た。この電極構造体１１Ａにおける分極性電極１１２のみかけ面積は１３０ｃｍ2、電極密度は０．５４ｇ／ｃｍ3、集電体の片面に形成された分極性電極の厚みは６５μｍであった。
　なお、ＢＥＴ比表面積および細孔容積は、窒素ガス吸着法により算出した値であり、５０％粒径は、日機装（株）製レーザー回折式粒度分布測定装置マイクロトラックＨＲＡを用いて測定した値である。
【００４５】
（２）負の電極構造体の作製
　活性炭ＬＰＹ０３９（日本エンバイロケミカルズ（株）製、ＭＰ法におけるピーク細孔半径：４．１×１０-10ｍ、比表面積：１９００ｍ2／ｇ、細孔容積：０．９０ｍｌ／ｇ、５０％：粒径１０．３μｍ）と、導電剤（ＨＳ−１００、電気化学工業（株）製）と、バインダであるＰＶＤＦ（アルドリッチ社製、重量平均分子量：５３４，０００）とを８５：７：８の質量組成になるように、塗工溶媒であるＮ−メチルピロリドン（以下ＮＭＰ）中で混合し、負の分極性電極用塗工液を調製した。
　得られた塗工液を、負の集電体１１３であるエッチドアルミ箔（３０ＣＢ、日本蓄電器工業（株）製）の両面に塗工した後、ロールプレスで圧延し、さらにＮＭＰを乾燥除去して負の分極性電極１１４を形成し、負の分極性電極構造体１１Ｂを得た。この電極構造体１１Ｂにおける分極性電極１１４のみかけ面積は１３０ｃｍ2、電極密度は０．５０ｇ／ｃｍ3、集電体の片面に形成された分極性電極の厚みは７５μｍであった。
　なお、ピーク細孔半径は、上記ＢＥＴ測定結果に基づいてＭＰ法により算出した値である。
【００４６】
（３）電気二重層キャパシタの作製
　正の分極性電極構造体１１Ａ  ９枚と、負の分極性電極構造体１１Ｂ  １０枚とを、セパレータ１１Ｃ（ＮＩ０４０Ａ、日本板硝子（株）製、空隙率７９．０％、厚さ４０μｍ）を介して交互に積層し（セパレータ枚数は最外層を含めて２０枚）、正負ごとにまとめてアルミ製の電流取出し端子１２Ａ，１２Ｂと溶接して電極群１１を得た。
　次に電極群１１をアルミラミネート（大日本印刷（株）製、外層：６−ナイロン／厚２５μｍ、ガス遮断層：軟質アルミニウム／厚４０μｍ、内層：ポリプロピレン＋変性ポリプロピレン／３０＋１５μｍ）からなる弁１３のついた外装容器１０に挿入し、有機系電解液３８ｍｌを注入して含浸させた後、外装容器１０を封止部１０Ｂにて熱融着して図１に示される電気二重層キャパシタ１を得た。
有機系電解液としては、電解質
を、電解液溶媒
に
溶解させたものを使用した
【００４７】
［実施例２］
　集電体の片面に形成された負の分極性電極の厚みを８５μｍにし、
有機系電解液を３９ｍｌ注入した
５　「【００６８】
　上記各実施例および比較例の電気二重層キャパシタの構成について表１にまとめて示す。
　
なお、表１において、セパレータの空隙容積Ｖsおよび正負の分極性電極の空隙容積Ｖ+、Ｖ-は、各実施例および比較例で用いたものと同じセパレータおよび正負分極性電極に、電気二重層キャパシタの作製時の条件と同じ条件で電解液を十分に含浸させた後、含浸した電解液の質量と、電解液の比重とから求めた。
キャパシタの全空孔体積Ｖpは、セパレータ、および正負の分極性電極の空隙容積の和（Ｖs＋Ｖ+＋Ｖ-）である。
【００６９】
【表１】
＊キャパシタの定格電圧Ｖ：３Ｖ」
６　「【図１】
【図２】
」
・上記３、６によれば、電気二重層キャパシタ１は、外装容器１０と、この外装容器１０内に収納された電極群１１と、少なくともこの電極群１１に含浸する有機系電解液とを備えて構成されるものである。
・上記３、６によれば、電極群１１は、正の分極性電極構造体１１Ａおよび負の分極性電極構造体１１Ｂが、セパレータ１１Ｃを介して複数枚積層されたものであり、正の分極性電極構造体１１Ａは、正の集電体１１１の両面に正の分極性電極１１２が積層されて構成されたものであり、負の分極性電極構造体１１Ｂは、負の集電体１１３の両面に負の分極性電極１１４が積層されて構成されたものである。
・上記３によれば、有機系電解液は、電極群がこれに浸る程度に外装容器内に満たされていてもよいものである。また、上記３における「電極群」、「外装容器」との記載が、それぞれ「電極群１１」、「外装容器１０」を指すことは明らかである。
・上記４によれば、有機系電解液は、電解質を電解液溶媒に溶解させたものである。
・上記４、５によれば、実施例２の電気二重層キャパシタにおいて、全電解液容積Ｖaは３９．０ｍｌであり、キャパシタの全空孔体積Ｖpは３８．２ｍｌであり、全電解液容積Ｖaとキャパシタの全空孔体積Ｖpとの比（Ｖa／Ｖp）は１．０２である。
・上記５によれば、セパレータの空隙容積Ｖsおよび正負の分極性電極の空隙容積Ｖ+、Ｖ-は、セパレータおよび正負分極性電極に、電気二重層キャパシタの作製時の条件と同じ条件で電解液を十分に含浸させた後、含浸した電解液の質量と、電解液の比重とから求められ、キャパシタの全空孔体積Ｖpは、セパレータ、および正負の分極性電極の空隙容積の和（Ｖs＋Ｖ+＋Ｖ-）である。また、上記５における「セパレータ」、「正負の分極性電極」、「電解液」、「電気二重層キャパシタ」との記載が、それぞれ上記３における「セパレータ１１Ｃ」、「正の分極性電極１１２および負の分極性電極１１４」、「有機系電解液」、「電気二重層キャパシタ１」を指すことは明らかである。
　そうすると、上記摘示事項および図面を総合勘案し、特に実施例２に着目すると、引用文献１には次の発明（以下「引用発明」という。）が記載されている。
「電気二重層キャパシタ１であって、外装容器１０と、この外装容器１０内に収納された電極群１１と、少なくともこの電極群１１に含浸する有機系電解液とを備えて構成され、電極群１１は、正の分極性電極構造体１１Ａおよび負の分極性電極構造体１１Ｂが、セパレータ１１Ｃを介して複数枚積層されたものであり、正の分極性電極構造体１１Ａは、正の集電体１１１の両面に正の分極性電極１１２が積層されて構成されたものであり、負の分極性電極構造体１１Ｂは、負の集電体１１３の両面に負の分極性電極１１４が積層されて構成されたものであり、有機系電解液は、電解質を電解液溶媒に溶解させたものであり、電極群１１がこれに浸る程度に外装容器１０内に満たされていてもよく、有機系電解液の全電解液容積Ｖaは３９．０ｍｌであり、キャパシタの全空孔体積Ｖpは３８．２ｍｌであり、有機系電解液の全電解液容積Ｖaとキャパシタの全空孔体積Ｖpとの比（Ｖa／Ｖp）は１．０２であり、セパレータ１１Ｃの空隙容積Ｖsおよび正負の分極性電極１１２、１１４の空隙容積Ｖ+、Ｖ-は、セパレータ１１Ｃおよび正負分極性電極１１２、１１４に、電気二重層キャパシタ１の作製時の条件と同じ条件で有機系電解液を十分に含浸させた後、含浸した有機系電解液の質量と、有機系電解液の比重とから求められ、キャパシタの全空孔体積Ｖpは、セパレータ１１Ｃ、および正負の分極性電極１１２、１１４の空隙容積の和（Ｖs＋Ｖ+＋Ｖ-）である、電気二重層キャパシタ１。」
第５　対比
　そこで、本願発明と引用発明とを対比する。
１　電気二重層キャパシタがエネルギー貯蔵装置として機能することは明らかである。また、外装容器と、外装容器内に収納された電極群と、電極群に含浸する電解液を備えた電気二重層キャパシタが、最終的な製品といい得るものであることも明らかである。
　したがって、引用発明の「電気二重層キャパシタ１」は、本願発明の「最終的な製品のエネルギー貯蔵装置」に相当する。
２　引用発明の「外装容器１０」、「正の分極性電極１１２」、「負の分極性電極１１４」は、それぞれ本願発明の「容器」、「第１電極」、「第２電極」に相当する。
３　引用発明の「正の分極性電極構造体１１Ａ」は、「正の集電体１１１の両面に正の分極性電極１１２が積層されて構成されたもの」であり、「負の分極性電極構造体１１Ｂ」は、「負の集電体１１３の両面に負の分極性電極１１４が積層されて構成されたもの」である。そして、引用発明の「正の分極性電極構造体１１Ａおよび負の分極性電極構造体１１Ｂ」は、「セパレータ１１Ｃを介して複数枚積層されたもの」であるから、「セパレータ１１Ｃ」は、「正の分極性電極１１２」と「負の分極性電極１１４」との間にあるものである。
　したがって、引用発明の「セパレータ１１Ｃ」は、本願発明の「上記第１電極と上記第２電極との間のセパレータ」に相当する。
４　引用発明の「電極群１１」は「外装容器１０内に収納され」ているから、「電極群１１」を構成する「正の分極性電極１１２」、「負の分極性電極１１４」および「セパレータ１１Ｃ」は、いずれも外装容器１０内にあるものである。
　したがって、引用発明の「電極群１１」が「外装容器１０内に収納され」ていることは、本願発明の「上記第１電極、上記第２電極、および上記セパレータは、上記容器内にあ」ることに相当する。
５　引用発明の「有機系電解液」は、「電解質を電解液溶媒に溶解させたもの」である。一方、本願発明の「電解質」について、本願明細書の段落【００３７】には、「電解質１２０は、イオンを含みかつエネルギー貯蔵装置１００における使用に適した任意の数の電解液を含んでいてもよい。例えば、電解質１２０は溶媒および塩を含んでいてもよく、当該塩は、例えば陰イオンおよび陽イオンのような移動するイオン種を提供する。」と記載されている。そして、上記記載を参酌すると、本願発明の「電解質」は、「電解質を溶媒に溶解させた電解液」を含むものと認められる。
　したがって、引用発明の「電解質を電解液溶媒に溶解させたもの」であって、「電極群がこれに浸る程度に外装容器１０内に満たされてもよ」い「有機系電解液」は、本願発明の「上記容器内にある電解質」に相当する。
６　引用発明は、「有機系電解液の全電解液容積Ｖaは３９．０ｍｌであり、キャパシタの全空孔体積Ｖpは３８．２ｍｌであり、有機系電解液の全電解液容積Ｖaとキャパシタの全空孔体積Ｖpとの比（Ｖa／Ｖp）は１．０２であり、セパレータ１１Ｃの空隙容積Ｖsおよび正負の分極性電極１１２、１１４の空隙容積Ｖ+、Ｖ-は、セパレータ１１Ｃおよび正負分極性電極１１２、１１４に、電気二重層キャパシタ１の作製時の条件と同じ条件で有機系電解液を十分に含浸させた後、含浸した有機系電解液の質量と、有機系電解液の比重とから求められ、キャパシタの全空孔体積Ｖpは、セパレータ１１Ｃ、および正負の分極性電極１１２、１１４の空隙容積の和（Ｖs＋Ｖ+＋Ｖ-）である」ものの、本願発明の「上記電解質は、電解質の飽和量とその１０４％との間の総質量を有し、上記電解質の飽和量は、上記セパレータ、上記第１電極、および上記第２電極の接触可能なスペースを飽和させるために必要とされる上記容器における電解質の最小量である」との特定はなされていない。
　そうすると、本願発明と引用発明とは、
「　最終的な製品のエネルギー貯蔵装置であって、
　容器と、
　第１電極と、
　第２電極と、
　上記第１電極と上記第２電極との間のセパレータとを備え、
　上記第１電極、上記第２電極、および上記セパレータは、上記容器内にあり、
　上記容器内にある電解質をさらに備えるエネルギー貯蔵装置。」
である点で一致し、以下の点で一応相違する。
＜相違点＞
　本願発明は、「上記電解質は、電解質の飽和量とその１０４％との間の総質量を有し、上記電解質の飽和量は、上記セパレータ、上記第１電極、および上記第２電極の接触可能なスペースを飽和させるために必要とされる上記容器における電解質の最小量である」のに対し、引用発明は、その旨の特定がされていない点。
第６　判断
１　相違点について
　引用発明では「セパレータ１１Ｃおよび正負分極性電極１１２、１１４に電気二重層キャパシタ１の作製時の条件と同じ条件で有機系電解液を十分に含浸させた後、含浸した有機系電解液の質量と、有機系電解液の比重とから」「セパレータ１１Ｃの空隙容積Ｖsおよび正負の分極性電極１１２、１１４の空隙容積Ｖ+、Ｖ-」が求められるのであるから、「有機系電解液を十分に含浸させた後」の状態では、有機系電解液で「セパレータ１１Ｃおよび正負分極性電極１１２、１１４」それぞれの「接触可能なスペース」を飽和させていることは明らかである。また、引用発明において、接触可能なスペースを飽和させるために必要な量を超える分の有機系電解液は、「セパレータ１１Ｃおよび正負分極性電極１１２、１１４」に含浸することはないから、「有機系電解液を十分に含浸させた後、含浸した有機系電解液の質量」は、セパレータ１１Ｃおよび正負分極性電極１１２、１１４それぞれの接触可能なスペースを飽和させるために必要な質量であるといえる。
　そして、引用発明の「キャパシタの全空孔体積Ｖp」は、「セパレータ１１Ｃ、および正負の分極性電極１１２、１１４の空隙容積の和（Ｖs＋Ｖ+＋Ｖ-）」である。また、「容積＝質量／比重」であることは技術常識である。そうすると、引用発明において、求められた「キャパシタの全空孔体積Ｖp」は、「セパレータ１１Ｃ、正の分極性電極１１２、および負の分極性電極１１４の接触可能なスペースを飽和させるために必要な有機系電解液の質量」を有する有機系電解液の容積（すなわち、質量／比重）であるといえる。
　ここで、引用発明において、「有機系電解液の全電解液容積Ｖaとキャパシタの全空孔体積Ｖpとの比（Ｖa／Ｖp）」は「１．０２」であるから、有機系電解液は、求められたキャパシタの全空孔体積Ｖp（すなわち、セパレータ１１Ｃ、正の分極性電極１１２、および負の分極性電極１１４の接触可能なスペースを飽和させるために必要な有機系電解液の質量／比重）の１０２％の容積Ｖaを有することになり、このことは、有機系電解液が、「セパレータ１１Ｃ、正の分極性電極１１２、および負の分極性電極１１４の接触可能なスペースを飽和させるために必要な有機系電解液の質量」の１０２％の総質量を有することと等価である。
　一方、本願発明は、「上記電解質は、電解質の飽和量とその１０４％との間の総質量を有し、上記電解質の飽和量は、上記セパレータ、上記第１電極、および上記第２電極の接触可能なスペースを飽和させるために必要とされる上記容器における電解質の最小量である」から、本願発明の「電解質の飽和量」とは、「上記セパレータ、上記第１電極、および上記第２電極の接触可能なスペースを飽和させるために必要とされる上記容器における電解質の最小量」のことであり、その単位は「質量」である。そして、「飽和させるために必要とされる」「最小量」の「質量」とは、飽和させるために必要な量以上であって、かつ必要な量の最小の質量であるから、これは飽和させるために必要な質量にほかならない。
　そうすると、引用発明が「セパレータ１１Ｃ、正の分極性電極１１２、および負の分極性電極１１４の接触可能なスペースを飽和させるために必要な有機系電解液の質量」の１０２％の総質量を有することは、「上記電解質は、電解質の飽和量とその１０４％との間の総質量を有」するものであり、かつ「上記電解質の飽和量は、上記セパレータ、上記第１電極、および上記第２電極の接触可能なスペースを飽和させるために必要とされる上記容器における電解質の最小量である」といえる。
　以上のとおりであるから、「上記電解質は、電解質の飽和量とその１０４％との間の総質量を有し、上記電解質の飽和量は、上記セパレータ、上記第１電極、および上記第２電極の接触可能なスペースを飽和させるために必要とされる上記容器における電解質の最小量である」との事項は、引用発明が備えている事項である。
　してみれば、上記相違点については、実質的な相違とは認められない。
２　審判請求人の主張について
　審判請求人は、平成３１年３月２７日に提出された審判請求書において、「
引用発明１では
電極およびセパレータが有する孔（すなわち、電極やセパレータの構成材料が一般に有する微細な孔）の全体に電解質が含浸されるものであると想定した
例えば、セパレータや電極の内部に存在する微細な孔には電解質は接触不可能である
孔の一部
孔の全体を
　しかしながら、引用文献１には「電極およびセパレータが有する孔（すなわち、電極やセパレータの構成材料が一般に有する微細な孔）の全体に電解質が含浸される」旨の記載は一切なされていない。
　また、引用文献１の段落【００６８】（上記「第４」の「５」を参照。）に記載されているとおり、引用発明の「キャパシタの全空孔体積Ｖp」は、セパレータ１１Ｃ、および正負の分極性電極１１２、１１４の空隙容積の和（Ｖs＋Ｖ+＋Ｖ-）であり、かつ「セパレータ１１Ｃの空隙容積Ｖsおよび正負の分極性電極１１２、１１４の空隙容積Ｖ+、Ｖ-」は、セパレータ１１Ｃおよび正負分極性電極１１２、１１４に、電気二重層キャパシタ１の作製時の条件と同じ条件で有機系電解液を十分に含浸させた後、含浸した有機系電解液の質量と、有機系電解液の比重とから求められるものである。そして、このような方法で「セパレータ１１Ｃの空隙容積Ｖsおよび正負の分極性電極１１２、１１４の空隙容積Ｖ+、Ｖ-」を求めた場合、有機系電解液は、セパレータ１１Ｃおよび正負の分極性電極１１２、１１４それぞれの「有機系電解液が接触可能なスペース」にのみ含浸するものと認められ、「有機系電解液が接触不可能なスペース」、例えばセパレータ１１Ｃや正負の分極性電極１１２、１１４の内部に存在する微細な孔であって、
有機系電解液が接触不可能な孔
孔の全体
　さらに、引用文献１の段落【００１５】、【００２８】（上記「第４」の「１」および「２」を参照。）に「分極性電極とセパレータとの空隙容積に含浸された電解液容積Ｖp」と記載されていることを考慮すると、引用発明の「キャパシタの全空孔体積Ｖp」は「分極性電極とセパレータとの空隙容積に
含浸された電解液
　したがって、引用発明は、電極およびセパレータが有する孔の全体に電解質が含浸されるものであると想定している旨の審判請求人の上記主張、および引用発明の「キャパシタの全空孔体積Ｖp」が、セパレータおよび電極が有する孔の全体を飽和させるために必要な量を指すとする審判請求人の上記主張は、妥当なものとはいえない。
　よって、審判請求人の上記主張を採用することはできない。
３　まとめ
　以上のとおり、本願発明と引用発明との間に実質的な相違点はないから、本願発明は引用発明である。
第７　むすび
　以上のとおり、本願の請求項１に係る発明は、引用文献１に記載された発明であるから、特許法第２９条第１項第３号に該当し、特許を受けることができない。
　したがって、他の請求項に係る発明について検討するまでもなく、本願は拒絶されるべきものである。
　よって、結論のとおり審決する。